(57)【要約】【課題】遊技者がファール球を容易に打ち出して受け皿に残ったパチンコ球を確実に回収するパチンコ機を提供する。【解決手段】案内通路２６は、枠部材２７に対して回動自在に配設された開閉部材２８により開放もしくは閉塞される。案内通路２６が閉塞状態の場合、パチンコ球２４は開閉部材２８と衝突して落下し、下方のファール球回収部材４９によりファール球として回収される。球送込通路３２のパチンコ球を回収する際、排出ボタン１１を押下すると、案内通路２６が開閉部材２８によって閉塞状態となり、発射装置２０は、操作ハンドル９の操作量に関わらず所定の打ち出し強さで自動的にパチンコ球を打ち出し、パチンコ球はファール球として回収される。【選択図】図３
2009050643.tif 000002
【特許請求の範囲】
【請求項１】
発射操作部の操作量に応じた打ち出し強さで遊技領域へ向けてパチンコ球を打ち出す発射装置を備え、前記発射装置から打ち出されて前記遊技領域へ到達せずに案内通路を戻ってきたパチンコ球を、賞球の払い出しを受ける受け皿にファール球として回収するパチンコ機において、
前記発射装置から打ち出されたパチンコ球が遊技領域へ到達できるように前記案内通路を開通する開位置と、前記パチンコ球の通過を阻止して前記ファール球として回収されるように案内通路を閉塞する閉位置との間での可動構造を有する開閉部材と、
前記発射操作部とは別に設けられた予備発射操作部と、
前記予備発射操作部が操作されたことに応答して前記開閉部材を閉位置に移動させ、前記発射装置を作動させて、前記発射操作部の操作量に関わらず、前記開閉部材に到達する所定の打ち出し強さで自動的にパチンコ球を打ち出す球回収制御手段とを設けたことを特徴とするパチンコ機。
【請求項２】
前記受け皿に貯留されたパチンコ球を筐体外部に排出する排出口と、前記排出口を開閉するシャッタと、前記シャッタを開閉駆動するための駆動手段とを設け、
前記予備発射操作部の操作時、前記駆動手段により前記シャッタを開位置へ移動させ、前記受け皿に貯留されているパチンコ球を筐体外部に排出することを特徴とする請求項１記載のパチンコ機。
【請求項３】
前記ファール球を前記受け皿へ回収するための回収用開口を、前記開閉部材より下方の前記案内通路内に設け、
前記開閉部材は、閉位置にあるときに前記発射装置から打ち出されたパチンコ球を受けて、前記回収用開口へ導くための曲面が下面に形成されていることを特徴とする請求項１又は２記載のパチンコ機。
【請求項４】
前記案内通路は、少なくとも１本のレール板と前記レール板に対向し前記開閉部材を収納する収納部が形成された壁部材とで画定され、
前記開閉部材は、開位置では前記収納部に収納されることを特徴とする請求項１ないし３いずれか記載のパチンコ機。
【請求項５】
前記開閉部材は、開位置から上方に向かって回動することで閉位置に移動するように配設され、
前記レール板は、この閉位置にある開閉部材の上面と当接するように、前記案内通路の外側に向かって曲げて形成された当接部を有することを特徴とする請求項４記載のパチンコ機。
【発明の詳細な説明】
【技術分野】
【０００１】
本発明は、パチンコ店などの遊技場に設置されるパチンコ機に関する。
【背景技術】
【０００２】
パチンコ店などの遊技場に設置されるパチンコ機は、パチンコ球が打ち出される遊技領域と、この遊技領域の外周の一部に沿って設けられ、遊技の際に打ち出されたパチンコ球を遊技領域の上部に向けて案内する案内通路が形成された遊技盤が本体基部に組み付けられている。この遊技盤の前面は、本体基部に回動自在に取り付けられたガラス張りの前面扉によって覆われており、遊技者はガラスを介して遊技領域を観察できるようになっている。遊技領域内には、複数の釘、風車やセンター役物等の構造物が設けられる他、入賞チャッカー、始動チャッカー、アタッカなどの入賞装置が設けられた構成となっている。これら入賞装置にパチンコ球が入ると入賞となり、入賞に対する賞球として予め設定された数のパチンコ球が前面にある受け皿に払い出される。パチンコ機の内部には、遊技領域にパチンコ球を１球ずつ打ち出す発射装置と、該発射装置にパチンコ球を送り込む球送込装置とが備えられ、遊技者はパチンコ機の前面の操作ハンドルを操作することで操作ハンドルの回動量に応じた強さでパチンコ球を打ち出すことができる。球送り装置は、受け皿に設けられた球通路を通じてパチンコ球が供給される。
【０００３】
遊技者は貸与されたパチンコ球や賞球を受け皿に貯留して遊技を行うが、受け皿に受け入れられなくなったパチンコ球を貯留する場合に備えて球貯留箱を受け皿の下方に配置する。受け皿の底面にはパチンコ球の落下用開口が形成されており、この落下用開口は遊技者によって開閉操作が行われるスライド式のシャッタによって閉じられている。そして、遊技者はシャッタをスライドさせて落下用開口を開放し、受け皿のパチンコ球を球貯留箱に落下させる、いわゆる球抜き操作を行って受け皿のパチンコ球を球貯留箱に移す。
【０００４】
このような球抜き操作を行うための機構として、例えば特許文献１では、パチンコ機の受け皿の底に開口を形成し、可動排出シュートを開口内に設け、常態では可動排出シュートの側壁により受け皿内のパチンコ球の可動排出シュート内への流入を妨げるようにする一方、可動排出シュートの姿態を操作することにより受け皿に貯留されたパチンコ球を少しずつ手に受けることも、一気に排出することも可能にした球抜き装置が提案されている。
【特許文献１】特開２００４−２５４９５６号公報
【発明の開示】
【発明が解決しようとする課題】
【０００５】
遊技者は、遊技を終了する際にも上述したような球抜き操作を行うが、受け皿から球送り装置に至るまでの送込通路にある少数のパチンコ球まで球抜きすることはできない。これは、送込通路の先に球送込装置があるから、構造上、球抜き機構を設けることが困難だからである。遊技者によっては、このようなパチンコ球を放置することもあるが、回収しようとする場合は、残ったパチンコ球を、操作ハンドルで打ち出し強さを故意に弱く調整し遊技領域に達しないファール球として打ち出す必要がある。ファール球は遊技領域に至らず落下してファール球回収口に入り内部の通路を通って受け皿へと導かれるからである。
【０００６】
しかしながら、この回収方法を行う場合、打ち出し強さの調整を誤るとパチンコ球が遊技領域に達して、そこから流下し、遊技者の意図に反してアウト口から回収されて遊技者に不利益を与えるという問題があった。本発明は、上記課題を解決するためになされたものであり、遊技者がファール球を容易に打ち出して受け皿に残ったパチンコ球を確実に回収するパチンコ機を提供するものである。
【課題を解決するための手段】
【０００７】
上記目的を達成するために、本発明のパチンコ機では、発射操作部の操作量に応じた打ち出し強さで遊技領域へ向けてパチンコ球を打ち出す発射装置を備え、前記発射装置から打ち出されて前記遊技領域へ到達せずに案内通路を戻ってきたパチンコ球を、賞球の払い出しを受ける受け皿にファール球として回収し、前記発射装置から打ち出されたパチンコ球が遊技領域へ到達できるように前記案内通路を開通する開位置と、前記パチンコ球の通過を阻止して前記ファール球として回収されるように案内通路を閉塞する閉位置との間での可動構造を有する開閉部材と、前記発射操作部とは別に設けられた予備発射操作部と、前記予備発射操作部が操作されたことに応答して前記開閉部材を閉位置に移動させ、前記発射装置を作動させて、前記発射操作部の操作量に関わらず、前記開閉部材に到達する所定の打ち出し強さで自動的にパチンコ球を打ち出す球回収制御手段とを設けた。
【０００８】
また、前記パチンコ機において、前記受け皿に貯留されたパチンコ球を筐体外部に排出する排出口と、前記排出口を開閉するシャッタと、前記シャッタを開閉駆動するための駆動手段とを設け、前記予備発射操作部の操作時、前記駆動手段により前記シャッタを開位置へ移動させ、前記受け皿に貯留されているパチンコ球を筐体外部に排出が実行されるようにしてもよい。さらに、前記ファール球を前記受け皿へ回収するための回収用開口を、前記開閉部材より下方の前記案内通路内に設け、前記開閉部材の下面に、閉位置にあるときに前記発射装置から打ち出されたパチンコ球を受けて、前記回収用開口へ導くための曲面を形成してもよい。
【０００９】
さらに、前記パチンコ機において、前記案内通路は、少なくとも１本のレール板と前記レール板に対向し前記開閉部材を収納する収納部が形成された壁部材とで画定され、前記開閉部材は、開位置では前記収納部に収納されるようにするのもよい。ここで、前記開閉部材は、開位置から上方に向かって回動することで閉位置に移動するように配設され、前記レール板に、この閉位置にある開閉部材の上面と当接するように、前記案内通路の外側に向かって曲げて形成された当接部を設けてもよい。
【発明の効果】
【００１０】
本発明のパチンコ機に拠れば、遊技者が予備発射操作部を操作するだけで案内通路が開閉部材で閉塞されて自動でパチンコ球の打ち出しが行われ、開閉部材と衝突したパチンコ球がファール球となるから、発射装置の送込通路に残ったパチンコ球を受け皿で容易に回収できる。また、予備発射操作部の操作で、案内通路の閉塞並びにパチンコ球の打ち出しとともに、排出口を閉塞するシャッタを開位置に駆動して受け皿に貯留されたパチンコ球を排出することで、回収の利便性が向上する。ここで、開閉部材の下面を曲面にすることで、打ち出したパチンコ球をファール球として回収用開口から確実に回収できるようになる。
【００１１】
また、開閉部材は、開位置において、案内通路を画定する壁部材に設けた収納部に収納されるから、通常のパチンコ球の打ち出しへの悪影響を回避することができる。さらに、開閉部材は、開位置から上方へ回動して閉位置へ移動したときにレール板に形成した当接部と当接するから、下面に衝突したパチンコ球の衝撃により所定の閉位置からずれることがない。
【発明を実施するための最良の形態】
【００１２】
図１及び図２のように、本発明に係るパチンコ機２は、基体となる本体基部３に、上部扉４及び下部扉５からなる前面扉６が回動自在となるように、ヒンジ部を介して組み付けられる。上部扉４の中央には開口４ａが設けられており、この開口４ａは上部扉４の裏側に取り付けられるガラス７等の透光性を有する部材により遮蔽される。なお、上部扉４が閉じている状態では、遊技盤８上に形成された遊技領域８ａを流下するパチンコ球や、遊技領域８ａに設けられた構造物は、上記開口４ａを遮蔽するガラス７を介して視認される。正面視で遊技領域８ａの左側方には、発射装置２０から打ち出されたパチンコ球２４を遊技領域８ａに案内する案内通路２６が設けられている。案内通路２６は、内レール２５と２本の外レール２１，２２（レール板）と枠部材２７（壁部材）によって画定される。案内通路２６の下方には、遊技領域８ａに達しなかったパチンコ球をファール球として回収するためのファール球回収部材４９が配設されている。なお、遊技盤８の背面には、制御基板等の制御装置が設けられている。
【００１３】
遊技領域８ａには、図示しない障害釘、風車等が設けられる他に、通過チャッカー１５、パチンコ球２４が入賞する入賞口として、始動入賞チャッカー２３、通常入賞チャッカー１０及びアタッカ１３が設けられている。また、遊技領域８ａの略中央には、センター役物１６と呼ばれる構造物が設けられ、その略中央には図柄表示装置１６ａが設けられている。なお、遊技領域８ａを流下するパチンコ球２４は、障害釘及び風車等により弾かれながら流下し、上記入賞チャッカーのいずれかへと入賞するか、又は入賞せずにアウト口１７へと導かれる。通常入賞チャッカー１０またはアタッカ１３のいずれかにパチンコ球２４が入賞すると、入賞チャッカーのそれぞれに予め設定されている個数のパチンコ球が、本体基部３内に設けられた払出装置（図示せず）によって払出口１４から受け皿１２へと賞球として払い出される。
【００１４】
パチンコ機２には、大当たりモードと称される、遊技者が通常状態よりも多くの賞球を獲得し易い遊技状態がある。始動入賞チャッカー２３にパチンコ球２４が入賞すると、大当たりモードへと移行させるか否かを決定する抽選が行われるとともに、図柄表示装置１６ａを用いた図柄の変動表示及び抽選の結果に応じた演出表示などが行われる。そして、大当たり抽選の結果が当選であるときには、予め定められた図柄の組み合わせが図柄表示装置１６ａで停止表示され、通常状態から大当たりモードへと移行される。大当たりモードとなると、大当たりモード一回につきアタッカ１３が、その奥に設けられている大入賞口（図示せず）を所定時間又はパチンコ球２４が所定個数入賞するまで開放するように回動され、これが所定回数繰り返される。
【００１５】
下部扉５の前面側には、前方に突出するように受け皿１２が設けられている。受け皿１２は上方に開口し、遊技を開始する際に遊技者に貸し出されるパチンコ球を貯留する他に、遊技領域８ａを流下するパチンコ球２４が入賞チャッカーのいずれかに入賞したことに応じて払出口１４から払い出される賞球を受け入れて貯留する。貯留されたパチンコ球は下部扉５の背面側に設けられた送込通路３２を通じて内部に設けられた球送込装置７０に装填された後、発射装置２０へと供給される。
【００１６】
また、受け皿１２の底面にはシャッタ３１で開閉自在な排出口１８が設けられている（図５参照）。シャッタ３１は、下部扉５に設けられた排出ボタン１１（予備発射操作部）が押下されたことを契機として開放される。これにより、受け皿１２に貯留されたパチンコ球は、排出口１８の下方に置かれた球貯留箱１９へと排出される。
【００１７】
下部扉５には、回動操作可能な操作ハンドル９（発射操作部）が設けられている。この操作ハンドル９を操作すると、内部に設けられた打出し用ボリュームの出力値が変化し、発射装置２０によるパチンコ球の打ち出し強さが変化する。なお、この打出し用ボリュームは、可変抵抗器などで構成されている。
【００１８】
本体基部３の下部には、発射装置２０が配設されている。また、下部扉５の背面には、球送込装置７０が配設されており受け皿１２に貯留されているパチンコ球を発射装置２０に供給する。発射装置２０と球送込装置７０は、後述する発射制御装置８０（図５参照）によってパチンコ球の打ち出しと装填が交互に行われるように制御される。発射装置２０は、通常、操作ハンドル９が操作された際、操作量に応じた打ち出し強さでパチンコ球９２を遊技領域８ａに向けて打ち出すが、排出ボタン１１が押下されると、後述するように球送込通路３２のパチンコ球をファール球として回収するため、操作ハンドル９の操作量に関わらず所定の打ち出し強さで自動的にパチンコ球を打ち出す。
【００１９】
発射装置２０は、図３のように、ノックアーム５０、第１ストッパ５２、第２ストッパ５３、装填部５４を有する。装填部５４は、離間して設けられた第１及び第２部材６０，６１からなる。ノックアーム５０は、ソレノイドなどの駆動手段により駆動され、回転軸５５を中心にして、ノックアーム５０の打出槌５０ａが装填部５４に入り込む打ち出し位置と、打出槌５０ａが装填部５４から退避する待機位置との間で回動する。ノックアーム５０が前面から見て時計回りに回転し、ノックアーム５０の一部が第１ストッパ５２に当接した位置が打ち出し位置であり、ノックアーム５０が反時計回りに回転し、ノックアーム５０の一部が第２ストッパ５３に当接した位置が待機位置である。ノックアーム５０が打ち出し位置に移動すると、装填部５４に装填されたパチンコ球２４がノックアーム５０の打出槌５０ａによって上方に打ち出される。発射装置２０の装填部５４には、受け皿１２に貯留されたパチンコ球が送込通路３２を通り球送込装置７０によって一球ずつ送込まれて装填される。
【００２０】
発射装置２０から打ち出されたパチンコ球は、装填部５４の上方に設けられた送出部材２９を通って案内通路２６へと導かれる。この送出部材２９は、パチンコ球２４が通る程度のサイズで筒状に形成されて上方に向かって延びており、上にいくにしたがってパチンコ機２の右側面に向かい傾斜している。この送出部材２９の内部には通路が形成されており、この通路は案内通路２６に連接している。
【００２１】
案内通路２６の下部は、上下に連接する外レール２１，２２と枠部材２７により画定される。案内通路２６は、枠部材２７に回動自在に配設された可動式の開閉部材２８により開通もしくは閉塞される。案内通路２６が開通されている場合、発射装置２０から打ち出されたパチンコ球２４は遊技領域８ａに向けて打ち上げられるが、案内通路２６が閉塞されている場合、パチンコ球２４は開閉部材２８と衝突して落下し、開閉部材２８より下方のファール球回収部材４９によりファール球として回収される（図３中、点線Ｒを参照）。
【００２２】
図４のように、開閉部材２８は、案内通路２６を開通又は閉塞するための略平板形状の開閉部２８ａと、回動の中心である略円筒形状の軸部２８ｂと、遊技盤８の背面側で開閉用ソレノイド２５により直接駆動される突起状の駆動部２８ｄとからなる。開閉部２８及び駆動部２８ｄは、一端で軸部２８ｂの周面に固着されており、一体として回動するようになっている。軸部２８ｂの中心には枠部材２７に取り付けるための取り付け穴２８ｃが形成されている。
【００２３】
枠部材２７は中空構造になっており、図３のように、開閉部材２８の軸部２８ｂは枠部材２７の内部に収容されている。軸部２８ｂは、枠部材２７の前面から背面側に突出した取り付け軸２７ｃが取り付け穴２８ｃに挿入されることで枠部材２７に対して回動自在に取り付けられている。さらに、軸部２８ｂは、遊技盤８の開口（図示せず）に挿入され、遊技盤８の背面側にある開閉用ソレノイド２５と駆動部２８ｄによって駆動される。これにより、開閉部材２８は、案内通路２６を開通する開位置（図３中、実線で示した開閉部材２８を参照）と、案内通路２６を閉塞する閉位置（図３中、点線で示した開閉部材２８を参照）の間で回動することができる。開閉部材２８は、通常、開位置にあるが、排出ボタン１１が押下されたことを契機として、開閉用ソレノイド２５が給電されて上方に回動し閉位置となる。これにより、発射装置２０から打ち出されたパチンコ球は、開閉部材２８によって案内通路２６の通過を阻止される。
【００２４】
開閉部材２８が開位置にあるとき、通常のパチンコ球の打ち上げに影響しないように、開閉部２８ａは枠部材２７の収納部２７ａに収納される。収納部２７ａは、下側の外レール２２に面する枠部材２７の側壁に、開閉部２８ａの形状と合致するように形成されている。一方、開閉部材２８が閉位置にあるとき、打ち出されたパチンコ球が開閉部２８ａの下面と衝突する。このため、開閉部２８ａは上方に向かう力を受けるが、この力に抗して所定位置を維持するように、開閉部２８ａの先端部の上面と当接する当接部２１ａが上側の外レール２１の下端に形成されている。当接部２１ａは、外レール２１の下端を案内通路２６の外側に向けて略Ｕ字状に曲げて形成されており、開閉部２８ａが力を受けても、位置がずれないように上から開閉部２８ａを支持することができる。なお、下側の外レール２２の上端には、開閉部２８ａの回動と干渉しないように、案内通路２６の外側に向けて湾曲した湾曲部２２ａが形成されている。
【００２５】
また、ファール球回収部材４９は、送出部材２９の上部出口と隣接するように案内通路２６の最下部に設けられている。ファール球回収部材４９は、上面が開口した枠体であって、遊技盤面側の側壁に回収用開口４９ａが形成され、底面がこの回収用開口４９ａに向けて傾斜している。回収用開口４９ａは内部の回収通路４７と連接しており、この回収通路４７は内部払出口４８へと連接している。内部払出口４８は、払出装置から賞球を払い出すための内部側の出口であって、下部扉５の閉塞時に外側の払出口１４と連接する。これにより、発射装置２０から打ち出されて開閉部２８ａとの衝突でファール球となったパチンコ球２４は、ファール球回収部材４９に入り、払出口１４から受け皿１２へと回収される。
【００２６】
図５のように、受け皿１２は、払出口１４の前方に形成された第一底面１２ａと、第一底面１２ａと隣接し、排出口１８と送込み通路３２が形成された第二底面１２ｂと、これらの前面側に設けられた周壁１２ｃとからなる。第一底面１２ａは、払出口１４から第二底面１２ｂに向かって緩やかなカーブを描くように傾斜し、両端側（図中、第一底面１２ａ内の点線の外側部分）が中央よりも高く盛り上がるように形成されている。第二底面１２ｂは、第一底面１２ａの最低部と連接し、本体基部３側の送込み通路３２に向かって傾斜している。送込み通路３２は、最奥部に送込み装置７０の導入口７１が開口されており、この導入口７１にパチンコ球３５が順次入るよう奥に向かって傾斜している。
【００２７】
排出口１８は、送込み通路３２の手前の導入路の幅にほぼ収まるように形成されており、受け皿１２の底面の裏側に配設されたシャッタ３１により開閉自在となっている。シャッタ３１は、同じく受け皿１２の底面に設けられたシャッタ用ソレノイド３０によって駆動される。シャッタ３１が開いているとき、払出口１４から払い出されたパチンコ球３４は、受け皿１２が上述したような傾斜面を有することから、第一底面１２ａ内を転がって第二底面１２ｂの排出口１８から落下する（図中、矢印Ｓを参照）。また、受け皿１２に多くのパチンコ球が貯留されているときにシャッタ３１が開くと、送込み通路３２にあるパチンコ球３５を残し、全てのパチンコ球は排出口１８から排出される。
【００２８】
また、周壁１２ｃと本体基部３側壁面の排出口１８の高さ位置には、排出口１８付近のパチンコ球３４を検知するために、分離型フォトセンサなどで構成した残留球検知センサ３３が設けられている。残留球検知センサ３３の検知信号は、後述する排出制御部３６に出力される。
【００２９】
シャッタ３１は、通常はバネなどの付勢手段により排出口１８を閉じる位置となっているが、排出制御部３６から駆動手段であるシャッタ用ソレノイド３０に給電することで排出口１８を開放する位置に移動する。
【００３０】
排出制御部３６は、排出ボタン１１が押下された際に実行されるパチンコ球の回収及び排出動作全体を制御するものであり、上述したシャッタ用ソレノイド３０及び残留球検知センサ３３の他、開閉用ソレノイド２５と、発射装置２０を制御する発射制御装置８０と、送込装置７０に装填されたパチンコ球３７を検知する球検知センサ７０ａとに接続されている。排出制御部３６は、本体基部３内の制御基板に実装されるＬＳＩなどで構成され、上記の各部とケーブルを介して電気的に接続される。
【００３１】
球検知センサ７０ａは、パチンコ球９０が送込装置７０の送出口にあるか否かを検知するもので、例えば投光部と受光部とを備えた透過型フォトセンサが用いられる。発射制御装置８０は、通常、操作ハンドル９の操作量に応じた打ち出し強さでパチンコ球を打ち出すように発射装置２０を制御をする。さらに、発射制御装置８０は、自動打ち出し制御部８８を備え、これに拠ると操作ハンドル９の操作量に関わらず、一定の打ち出し強さでパチンコ球を自動的に打ち出すことができる。この打ち出し強さは、パチンコ球をファール球とするために、パチンコ球が閉位置にある開閉部材２８まで到達するのに十分な強さであって、設計に応じて適宜決定するものである。
【００３２】
排出制御部３６は、排出ボタン１１が押下を検出したことを契機として、開閉用ソレノイド２５に給電して開閉部材２８を閉位置とし、また、シャッタ用ソレノイド３０に給電してシャッタ３１を開放する。さらに、排出制御部３６は、発射制御装置８０に指示信号を送り、球検知センサ７０ａでパチンコ球３５が検知されなくなるまで、操作ハンドル９の操作を無効化し、自動打ち出し制御部８８により自動的にパチンコ球の打ち出しを行う。
【００３３】
また、排出制御部３６は、球検知センサ７０ａ及び残留球検知センサ３３でパチンコ球３４，３５が検知されなくなると、開閉用ソレノイド２５とシャッタ用ソレノイド３０の給電をやめて、開閉部材２８を開位置とし、シャッタ３１を閉じる。このように、排出制御部３６と発射制御装置８０は、パチンコ球を回収する動作を制御する球回収制御手段を構成する。
【００３４】
次に本発明の作用効果を説明する。図６のように、排出制御部３６は、排出ボタン１１が押下されると（ｓｔ１）、自動打ち出し準備の指示信号を発射制御装置８０に送信して、これを受けて自動打ち出し制御部８８が操作ハンドル９からの入力を無効化し（ｓｔ２）、打ち出し強さを、前述した所定の打ち出し強さに設定する（ｓｔ３）。そして、排出制御部３６は、受け皿１２に貯留されたパチンコ球を排出口１８から排出するために、シャッタ用ソレノイド３０に給電してシャッタ３１を開放するとともに（ｓｔ４）、開閉用ソレノイド２５に給電して開閉部材２８を閉位置とする（ｓｔ５）。シャッタ３１の開放により、受け皿１２内のパチンコ球は、送込み通路３２にあるパチンコ球３２だけ残して排出口１８から球貯留箱１９へ排出される。
【００３５】
次に、排出制御部３６は、発射制御装置８０に自動打ち出し開始の指示信号を送る（ｓｔ６）。これにより自動打ち出し制御部８８は、操作ハンドル９の操作量に関わらず、所定の打ち出し強さで自動的に打ち出しを行う。打ち出されたパチンコ球は、案内通路２６を閉塞する開閉部材２８と衝突するから、ファール球回収部材４９へと落下し回収用開口４９ａを通って受け皿１２に戻る。このとき、開閉部２８ａは、先端部の上面を当接部２１ａにより支持されているため、下面とパチンコ球との衝突で位置がずれることはない。受け皿１２に戻ったパチンコ球は、第一底面１２ａの傾斜に沿って転がり排出口１８から落下して球貯留箱１９へと回収される。
【００３６】
このようにして、送込み通路３２にある全てのパチンコ球３５が回収されると、球検知センサ７０ａは、打ち出すべきパチンコ球３５がないことを検出して排出制御部３６に通知する（ｓｔ７）。これを受けた排出制御部３６は、発射制御装置８０に自動打ち出し停止の指示信号を送り（ｓｔ８）、自動打ち出し制御部８８は打ち出しを停止する。
【００３７】
受け皿１２内のパチンコ球が排出口１８から全て排出されると、残留球検知センサ３３が受け皿１２が空であることを検出して排出制御部３６に通知する（ｓｔ９）。これを受けた排出制御部３６は、開閉用ソレノイド２５とシャッタ用ソレノイド３０の給電を停止することで、シャッタ３１を閉じて（ｓｔ１０）、開閉部材２８を開位置に戻す（ｓｔ１１）。開閉部材２８は、このように開位置に移動することで収納部２７ａに収納されるため、通常のパチンコ球の打ち出しを阻害することはない。最後に排出制御部３６は、発射制御部８０に操作ハンドル９の無効化を解除するように指示信号を送り一連の処理を終了する（ｓｔ１２）。
【００３８】
このように本発明に拠れば、遊技者がファール球を容易に打ち出して受け皿に残ったパチンコ球を確実に回収することができる。なお、本実施形態では開閉部２８ａを略平板形状としたが、これに限られるものではなく、例えば図７の開閉部材４０ように、開閉部４０ａの下面を曲面としてもよい。この開閉部材４０に拠ると、パチンコ球が下面に衝突したとき、これを曲面に沿って導くことでファール球回収部材４９へとより確実に落下させることができる。
【００３９】
また、本実施形態では、球検知センサ７０ａでパチンコ球が検知されなくなったことを契機として自動打ち出し制御部８８による打ち出しを停止するようにしたが、所定数のパチンコ球を打ち出した後で停止するようにしてもよい。さらに、所定時間だけ自動打ち出しを実行したり、シャッタ３１と開閉部材２８を所定時間だけ開放するようにしてもよい。もしくは、排出ボタン１１が押下されている間だけ、このような制御を実行するようにしてもよい。
【００４０】
さらに、排出ボタン１１の位置について、本実施形態のように図１に示す位置に限られず、例えば受け皿１２の前面や側面などに設けることもできる。
【図面の簡単な説明】
【００４１】
【図１】本発明のパチンコ機（扉閉塞時）を示す斜視図である。
【図２】本発明のパチンコ機（扉開放時）を示す斜視図である。
【図３】ファール球の回収機構及びパチンコ球の発射装置を示す。
【図４】パチンコ球の案内通路を開閉する開閉部材を示す。
【図５】受け皿の排出機構及び電気的構成を示す。
【図６】パチンコ球回収の処理フローである。
【図７】パチンコ球の案内通路を開閉する開閉部材の他の実施形態を示す。
【符号の説明】
【００４２】
２  パチンコ機
９  操作ハンドル
１１  排出ボタン
１２  受け皿
１８  排出口
２０  発射装置
２１，２２  外レール
２１ａ  当接部
２２ａ  湾曲部
２５  開閉用ソレノイド
２６  案内通路
２７  枠部材
２７ａ  収納部
２８，４０  開閉部材
３０  シャッタ用ソレノイド
３１  シャッタ
３３  残留球検知センサ
３６  排出制御部
７０  球送込装置
７０ａ  球検知センサ
８０  発射制御装置
８８  自動打ち出し制御部
【図１】
2009050643.tif 000003
【図２】
2009050643.tif 000004
【図３】
2009050643.tif 000005
【図４】
2009050643.tif 000006
【図５】
2009050643.tif 000007
【図６】
2009050643.tif 000008
【図７】
2009050643.tif 000009